(57)【要約】      （修正有）【課題】筋肉に電極布を確実に固定できる筋肉トレーニング装置を提供する。【解決手段】ユーザの体に面する裏面２０と、裏面２０と反対の面である表面３０と、を有し、弾力性を有して固定先の各部位に応じて固定されるバンド体１０と、表面３０に設けられ、電源装置と、プログラム制御装置と、を有するコントローラ３１と、裏面２０に設けられ、コントローラ３１と電気的に接続され、対となる左電極２２および右電極２３を有する電極布２１と、を備える。【選択図】図１
0003228165.tif 000002
【実用新案登録請求の範囲】
【請求項１】
ユーザの体に面する裏面と、前記裏面と反対の面である表面と、を有し、弾力性を有して固定先の各部位に応じて固定されるバンド体と、
前記表面に設けられ、電源装置と、プログラム制御装置と、を有するコントローラと、
前記裏面に設けられ、前記コントローラと電気的に接続され、対となる電極を有する電極布と、を備える、筋肉トレーニング装置。
【請求項２】
前記バンド体は、帯状体、パンティーストッキング、包帯、またはサポータであることを特徴とする請求項１に記載の筋肉トレーニング装置。
【請求項３】
前記バンド体は、両端を有する帯状体であり、
前記両端は、それぞれフック部材およびリング部材を有する固定用の面ファスナーを有する、請求項１に記載の筋肉トレーニング装置。
【請求項４】
前記バンド体の両端はそれぞれ分岐しており、
前記分岐した両端は、それぞれ前記フック部材および前記リング部材を有する複数のナイロン面ファスナーを有する、請求項３に記載の筋肉トレーニング装置。
【請求項５】
前記固定先は顔であり、
前記バンド体は、鼻孔と、口孔と、下顎孔と、を有する、請求項４に記載の筋肉トレーニング装置。
【請求項６】
前記電極布と該バンド体との間に設けられる気嚢と、
前記気嚢に対して空気を充填するためのポンプと、をさらに備える、請求項１から請求項５のいずれか１項に記載の筋肉トレーニング装置。
【請求項７】
前記プログラム制御装置は、前記電極布に電気刺激を付加するよう前記電源装置を制御する電源制御部と、前記電気刺激を付加する工程の前、後または同時に、前記気嚢に空気を充填するよう前記ポンプを制御するポンプ制御部と、を有する、請求項６記載の筋肉トレーニング装置。
【考案の詳細な説明】
【技術分野】
【０００１】
本考案は、筋肉訓練の技術分野に関し、特に電気筋肉刺激（Ｅｌｅｃｔｒｉｃａｌ Ｍｕｓｃｌｅ Ｓｔｉｍｕｌａｔｉｏｎ、ＥＭＳ）を与えるための筋肉トレーニング装置に関するものである。
【背景技術】
【０００２】
従来、公知の筋肉トレーニング装置の技術として、例えば特許文献１には、可撓性の帯部材に正面部が設けられ、正面部に正面電極部が設けられる「筋肉電気刺激装置」が開示されている。この筋肉電気刺激装置を身につける場合には、導通を確保するために、その正面電極部と体との間に粘着力を有するゲルパッドを設置する必要がある。しかしながら、ゲルパッドには使用寿命があり、使用後に残余ゲル洗浄が必要になってしまう。
【先行技術文献】
【特許文献】
【０００３】
【特許文献１】特開２０１８−１８３４８０号公報
【考案の概要】
【考案が解決しようとする課題】
【０００４】
本考案はこのような事情を考慮してなされたもので、筋肉に電極布を確実に固定できる筋肉トレーニング装置を提供することを目的とする。
【課題を解決するための手段】
【０００５】
本考案に係る筋肉トレーニング装置は、上述した課題を解決するために、ユーザの体に面する裏面と、前記裏面と反対の面である表面と、を有し、弾力性を有して固定先の各部位に応じて固定されるバンド体と、前記表面に設けられ、電源装置と、プログラム制御装置と、を有するコントローラと、前記裏面に設けられ、前記コントローラと電気的に接続され、対となる電極を有する電極布と、を備える。
【考案の効果】
【０００６】
本考案に係る筋肉トレーニング装置においては、筋肉に電極布を確実に固定できる。
【図面の簡単な説明】
【０００７】
【図１】本考案の筋肉トレーニング装置の一実施形態を示す構成図。
【図２】筋肉トレーニング装置を腹部に装着した場合の説明図。
【図３】筋肉トレーニング装置を腿部に装着した場合の説明図。
【図４】本考案の筋肉トレーニング装置の他の実施形態を示す構成図。
【図５】筋肉トレーニング装置を顔部に装着した場合の説明図。
【図６】気嚢へのガス非充填時の説明図。
【図７】気嚢へのガス充填時の説明図。
【考案を実施するための形態】
【０００８】
本考案に係る筋肉トレーニング装置の実施形態を添付図面に基づいて説明する。
【０００９】
図１に示すように、筋肉トレーニング装置１は、弾力性を有するバンド体１０を有する。弾力性バンド体１０（バンド体１０）は、固定先としてのユーザの体の各部位に、各部位の形状に応じて巻き付けられ、固定される帯状体である。バンド体１０は、裏面２０（ユーザの体に面する面）および表面３０（裏面２０の反対の面）を有する１枚の布地であってもよいし、裏面２０を成す１枚の布地と、表面３０を成す１枚の布地とを貼り合わせたものであってもよい。
【００１０】
帯状体のバンド体１０の両端には、バンド体１０をユーザの体の各部位へ固定するためのナイロン面ファスナー１１が設けられている。ナイロン面ファスナー１１は、バンド体１０の一方の端部１０ａに設けられたフック部材１２と、他方の端部１０ｂに設けられたリング部材１３である。
【００１１】
バンド体１０の裏面２０には、電極布２１が設けられる。電極布２１は、対となる２つの左電極２２および右電極２３を有する。電極布２１は、バンド体１０の表面３０に設けられたコントローラ３１の電極端子と電気的に接続される。電極布２１は、導電性の繊維（例えば銀繊維）を含有する繊維からなる布地である。また、電極布２１は、装着性および使用性を考慮して、弾性および抗菌性を有する繊維を含有することが好ましい。左電極２２および右電極２３は、それぞれコントローラ３１の電極端子と直接接続されていてもよいし、例えば電極布２１と同一材料からなる線状の布地を配線として電極端子まで伸ばすことにより接続されていてもよい。電極布２１および線状の布地の配線は、バンド体１０の裏面２０に対して例えば熱圧着されることにより固定される。なお、バンド体１０が２枚の布地からなる場合には、電極布２１を裏面２０に固定し、配線を布地の間に配置した上で表面３０に配置される電極端子と裏面２０に配置される電極布２１とを接続してもよい。
【００１２】
コントローラ３１は、公知の構造を有し、その内部に電源装置、プログラム制御可能な装置（マイクロコントローラ）および対となる２つの電極端子が設けられている。
【００１３】
このような筋肉トレーニング装置１は、バンド体１０により電極布２１がユーザの体のトレーニングを行いたい筋肉に密着して固定される。筋肉は、電気刺激によりトレーニング効果を奏することができる。
【００１４】
具体的には、図２、３に示すように、筋肉トレーニング装置１は、帯状体のバンド体１０の端部１０ａ、１０ｂに設けられたナイロン面ファスナー１１により、電極布２１を腹部４０や腿部５０、腕部６０などの体の各部位に簡易に、かつ確実に固定される（貼り付けられる）。すなわち、従来のゲルパッドのようにゲルを電極布２１に塗布した上で、電極布２１を固定先に取り付ける必要がない。また、使用後にはバンド体１０を取り外すだけでよく、ゲルパッドのように取り外した後に接着箇所の残余ゲルを洗浄する必要がない。特に、電極布２１の残余ゲルを洗浄することなく、筋肉トレーニング装置１を繰り返し利用可能である。
【００１５】
次に、本考案の筋肉トレーニング装置の他の実施形態について、図４、５を用いて説明する。
【００１６】
筋肉トレーニング装置１００は、例えば顔部７０用である。バンド体１１０の両端は分岐状に構成されている。筋肉トレーニング装置１同様、バンド体１１０の両端にもナイロン面ファスナー１１１が設けられている。すなわち、バンド体１１０の一方の端部が２つに分岐されて、第一端部１１７ａおよび第二端部１１７ｂを有する。また、バンド体１１０の他方の端部が２つに分岐されて、第一端部１１８ａおよび第二端部１１８ｂを有する。第一端部１１７ａおよび第二端部１１７ｂには、フック部材１１２が設けられている。第一端部１１８ａおよび第二端部１１８ｂには、リング部材１１３が設けられている。
【００１７】
バンド体１１０は、両端が分岐状であることにより、筋肉トレーニング装置１００の顔部７０への装着に好適である。バンド体１１０の中間部分（両端の間）には、ユーザの顔部の鼻、口、下顎に対応する位置に、鼻孔１１４、口孔１１５、下顎孔１１６がそれぞれ設けられている。
【００１８】
バンド体１１０の裏面１２０には、電極布１２１が設けられる。電極布１２１は、対となる２つの左電極１２２および右電極１２３を有する。電極布１２１は、バンド体１１０の表面１３０に設けられたコントローラ１３１と電気的に接続される。
【００１９】
コントローラ１３１は、公知の構造であり、その内部に電源装置、プログラム制御可能な装置（マイクロコントローラ）、および電極端子が設けられている。
【００２０】
図５に示すように、バンド体１１０が顔部７０に装着された場合、その電極布１２１は、ちょうど頬っぺたの箇所に配置され、電気刺激により、頬っぺたの引き締め効果を奏することができる。このように、筋肉トレーニング装置１００は、固定先の各部位に応じてバンド体１１０の形状および電極布１２１の位置を適宜設定することにより、体の種々の部位に使用できる。
【００２１】
なお、上述した筋肉トレーニング装置１、１００に、下記のような気嚢を設けてもよい。
【００２２】
図６、７に示すように、筋肉トレーニング装置２００は、電極布２２１とバンド体２１０との間に気嚢２７０を有する。なお、バンド体２１０が２枚の布地からなる場合には、布地の間であって少なくとも電極布２２１と重なり合う位置に、気嚢２７０を配置してもよい。気嚢２７０は、伸縮性を有する例えば樹脂材料からなる袋状部材である。また、筋肉トレーニング装置２００は、表面２３０側に空気入れポンプ（図示せず）を有する。ポンプは、コントローラの内部に設けられていてもよいし、外部に設けられていてもよい。ポンプは、コントローラの制御に基づいて、所定のタイミングで気嚢２７０に気体（ガス、空気）を充填する。この場合、マイクロコントローラは、電極布２２１に電気刺激を付加するよう電源装置を制御する電源制御部、および電気刺激を付加する工程の前、後または同時に、気嚢２７０に空気を充填するようポンプを制御するポンプ制御部として機能する。
【００２３】
コントローラは、例えば、電極布２２１による筋肉に対する電気刺激を行った後に、気嚢２７０にガスを充填する。
【００２４】
ここで、筋肉電気刺激の過程において、筋肉に乳酸（Ｌａｃｔａｔｅ）が発生することがある。血液の中の乳酸濃度が大幅に高まったときに、該当する箇所にある筋肉に激しい痛みが生じ、この痛みによってユーザによって電気刺激が停止されたり、緩められたりする場合がある。電気刺激の停止や緩めによって、筋肉トレーニングの効果は低下してしまう。
【００２５】
これに対し、筋肉トレーニング装置２００は、トレーニング効果を得た筋肉を気嚢２７０で押圧する。これにより、電極布２２１の電気刺激によって筋肉に生じた乳酸が、電極布による電気刺激を付加した後に気嚢２７０が作用することにより、電気刺激中の筋肉の外部に排除でき、筋肉の電気刺激時にユーザに生じる痛み・不快感を解消できる。
【００２６】
また、コントローラは、電極布２２１の固定動作時（電気刺激を付加する前）や運動時（電気刺激付加と同時）に気嚢２７０にガス充填することにより、電極布２１が体の各部位に押し当てられ、より確実に固定先としての体の部位に密着させて固定することができる。
【００２７】
以上のような筋肉トレーニング装置１、１００、２００は、弾力性バンド体１０、１１０、２１０とナイロン面ファスナー１１、１１１との組み合わせにより、電極布２１、１２１、２２１を運動すべき箇所にある筋肉に確実に固定することができる。
【００２８】
また、筋肉トレーニング装置２００は、ガス充填された気嚢を有することにより、電極布２２１の電気刺激によって生じた乳酸が、ガス充填された気嚢２７０によって押圧されて電気刺激中の筋肉の外部に排除され、ユーザによる筋肉の電気刺激時に生じた痛み・不快感が解消される。
【００２９】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【００３０】
例えば、バンド体は、パンティーストッキング、包帯、履くことにより装着するサポータのような、電極布が取り付け可能であり、体の各部位に固定可能なものであればどのようなものであってもよい。バンド体がパンティーストッキングである場合、ユーザが脚に履き、身につけることにより、脚を固定先として電極布が固定される。バンド体が包帯である場合、ユーザが体の各部位に巻き付け、公知の固定手段により端部が固定されることにより、固定される。バンド体がサポータである場合、例えば弾性を有するバンド体を腕や脚などに装着することにより、固定される。
【符号の説明】
【００３１】
１０、１１０、２１０  バンド体
１１、１１１  ナイロン面ファスナー
１２、１１２  フック部材
１３、１１３  リング部材
１１４  鼻孔
１１５  口孔
１１６  下顎孔
２０、１２０  裏面
２１、１２１、２２１  電極布
２２、１２２  左電極
２３、１２３  右電極
３０  表面
３１、１３１  コントローラ
４０  腹部
５０  腿部
６０  顔部
７０  腕部
２７０  気嚢
【図１】
0003228165.tif 000003
【図２】
0003228165.tif 000004
【図３】
0003228165.tif 000005
【図４】
0003228165.tif 000006
【図５】
0003228165.tif 000007
【図６】
0003228165.tif 000008
【図７】
0003228165.tif 000009